(57)【要約】【課題】警報音の鳴動を避けたい時間帯に電池の電圧低下を検出したときに、電池の電圧低下が検出されたことを、ユーザーの迷惑になりにくく、かつ迅速にユーザーに知らせることのできる警報器を得る。【解決手段】動作電源を供給する電池１と、電池１の電圧低下を検出する電圧低下検出手段（電源監視回路２、マイコン１０）と、音響鳴動する音響回路３０と、表示灯回路２０と、時計部１２とを備え、電圧低下を検出したときに、時計手段が示す時刻が、予め設定された警報抑制時間帯外であれば、音響回路３０及び表示灯回路２０によって警報を行い、予め設定された警報抑制時間帯内であれば、音響回路３０による音響鳴動を行わず、警報抑制時間帯外よりも視認性を低下させて表示灯回路２０に警報表示させる。【選択図】図１
2010225064.tif 000002
【特許請求の範囲】
【請求項１】
動作電源を供給する電池と、
前記電池の電圧低下を検出する電圧低下検出手段とを有し、
前記電圧低下を検出したときに、音響部と表示灯のいずれかまたは両方によって警報する警報器において、
時計手段と、
前記電圧低下を検出したときの警報を抑制する警報抑制手段とを備え、
前記警報抑制手段は、
前記電圧低下を検出したときに、
前記時計手段が示す時刻が予め設定された警報抑制時間帯外であれば、前記音響部及び表示灯によって警報を行い、
前記時計手段が示す時刻が予め設定された警報抑制時間帯内であれば、前記警報抑制時間帯外よりも音圧を低下させて前記音響部に音響鳴動させるか、または、前記音響部に音響鳴動させず、前記警報抑制時間帯外よりも視認性を低下させて前記表示灯に警報表示させる
ことを特徴とする警報器。
【請求項２】
動作電源を供給する電池と、
前記電池の電圧低下を検出する電圧低下検出手段とを有し、
前記電圧低下を検出したときに、音響部と表示灯のいずれかまたは両方によって警報する警報器において、
時計手段と、
電圧低下確認スイッチと、
前記電圧低下を検出したときの警報を抑制する警報抑制手段とを備え、
前記警報抑制手段は、
前記電圧低下を検出したときに、前記時計手段が示す時刻が、予め設定された警報抑制時間帯外であれば、前記音響部及び表示灯によって警報を行い、
前記電圧低下確認スイッチが操作されたときに、前記電圧低下が検出されており、かつ、前記時計手段が示す時刻が、予め設定された警報抑制時間帯内であれば、前記警報抑制時間帯外よりも音圧を低下させて前記音響部に音響鳴動させるか、または、前記警報抑制時間帯外よりも視認性を低下させて前記表示灯に警報表示させる
ことを特徴とする警報器。
【請求項３】
前記警報抑制時間帯を設定する設定部を備えた
ことを特徴とする請求項１または請求項２記載の警報器。
【発明の詳細な説明】
【技術分野】
【０００１】
本発明は、警報器に関する。
【背景技術】
【０００２】
従来から、警報器の一例として、例えば火災などの監視領域の異常を検出して警報音を鳴動する火災警報器が利用されている。このような火災警報器では、動作電源として電池が用いられるものがあり、電池の電圧が低下したときには音響部及び表示灯によって電池切れの警報を行うようになっている（例えば、特許文献１参照）。
【先行技術文献】
【特許文献】
【０００３】
【特許文献１】実開平０５−０９２８９２号公報（第７頁、図３）
【発明の概要】
【発明が解決しようとする課題】
【０００４】
しかしながら、夜間から早朝にかけて電池電圧の低下が検出された場合、ユーザーの就寝中に警報音が鳴り響く可能性があり、迷惑になるおそれがある。
【０００５】
本発明は上記のような課題を解決するためになされたものであり、警報音の鳴動を避けたい時間帯に電池の電圧低下を検出したときに、電池の電圧低下が検出されたことを、ユーザーへの迷惑になりにくく、かつ迅速にユーザーに知らせることのできる警報器を提供するものである。
【課題を解決するための手段】
【０００６】
本発明に係る警報器は、動作電源を供給する電池と、前記電池の電圧低下を検出する電圧低下検出手段とを有し、前記電圧低下を検出したときに、音響部と表示灯のいずれかまたは両方によって警報する警報器において、時計手段と、前記電圧低下を検出したときの警報を抑制する警報抑制手段とを備え、前記警報抑制手段は、前記電圧低下を検出したときに、前記時計手段が示す時刻が予め設定された警報抑制時間帯外であれば、前記音響部及び表示灯によって警報を行い、前記時計手段が示す時刻が予め設定された警報抑制時間帯内であれば、前記警報抑制時間帯外よりも音圧を低下させて前記音響部に音響鳴動させるか、または、前記音響部に音響鳴動させず、前記警報抑制時間帯外よりも視認性を低下させて前記表示灯に警報表示させるものである。
【０００７】
また、動作電源を供給する電池と、前記電池の電圧低下を検出する電圧低下検出手段とを有し、前記電圧低下を検出したときに、音響部と表示灯のいずれかまたは両方によって警報する警報器において、時計手段と、電圧低下確認スイッチと、前記電圧低下を検出したときの警報を抑制する警報抑制手段とを備え、前記警報抑制手段は、前記電圧低下を検出したときに、前記時計手段が示す時刻が、予め設定された警報抑制時間帯外であれば、前記音響部及び表示灯によって警報を行い、前記電圧低下確認スイッチが操作されたときに、前記電圧低下が検出されており、かつ、前記時計手段が示す時刻が、予め設定された警報抑制時間帯内であれば、前記警報抑制時間帯外よりも音圧を低下させて前記音響部に音響鳴動させるか、または、前記警報抑制時間帯外よりも視認性を低下させて前記表示灯に警報表示させるものである。
【０００８】
また、この警報器は、警報抑制時間帯を設定する設定部を備えたものである。
【発明の効果】
【０００９】
本発明においては、警報抑制時間帯内に電池の電圧低下が検出された場合には、警報抑制時間帯外よりも音圧を低下させて警報鳴動するようにした。または、警報鳴動を行わず、視認性が低い状態で表示灯による警報表示を行うようにした。このため、ユーザーへの迷惑を低減させることができる。
【００１０】
また、電圧低下確認スイッチが操作されたときに電池の電圧低下が検出されており、かつ、警報抑制時間帯内であれば、音圧を低下させて警報鳴動を行うか、または、視認性が低い状態で表示灯による警報表示を行うようにした。このため、ユーザーへの迷惑を低減させつつも、電池の電圧低下を迅速にユーザーに知らせることができる。
【００１１】
また、警報抑制時間帯を設定する設定部を備えたので、ユーザーの生活スタイルに合わせて警報抑制時間帯を設定することができる。
【図面の簡単な説明】
【００１２】
【図１】本発明の実施の形態に係る火災警報器の内部回路を示す回路構成図である。
【図２】実施の形態に係る火災警報器の表示灯回路を示す回路構成図である。
【図３】実施の形態に係る火災警報器の音響回路を示す回路構成図である。
【図４】実施の形態に係る火災警報器のメイン動作を示すフローチャートである。
【図５】実施の形態に係る火災警報器の火災監視動作を示すフローチャートである。
【図６】実施の形態に係る火災警報器の電圧低下監視動作を示すフローチャートである。
【図７】実施の形態に係る火災警報器のスイッチ入力判定動作を示すフローチャートである。
【図８】実施の形態に係る火災警報器の監視結果出力動作を示すフローチャートである。
【発明を実施するための形態】
【００１３】
実施の形態．
警報器には、火災警報器やガス漏れ警報器など、様々なものが存在する。また、火災警報器にも、発光素子及び受光素子によって煙を検出する火災警報器、感熱素子によって熱を検出する火災警報器、及び焦電素子により炎を検出する火災警報器等、様々な火災警報器が存在する。本実施の形態では、感熱素子であるサーミスタによって熱を検出する火災警報器に本発明を適用した場合を例に説明する。
【００１４】
図１は、本実施の形態に係る火災警報器１００の主要な内部回路を示す回路構成図である。火災警報器１００は、電池１、電源監視回路２、火災検出部５、制御部であるマイクロコンピューター１０（以下、マイコン１０という）、表示灯回路２０、音響回路３０を主要構成要素とする。
【００１５】
（マイコン）
マイコン１０は、各種フラグやデータを格納する記憶部１１と、時計部１２と、設定部１３と、音声データメモリ１４とを備え、図示しないＣＰＵにより火災警報器１００の動作を制御する。
【００１６】
記憶部１１は、例えばＥＥＰＲＯＭなどの書き換え可能な不揮発性メモリで構成される。記憶部１１は、火災が検出されたらセットされる火災フラグ１１ａ、電池１の電圧低下が検出されたらセットされる電圧低下フラグ１１ｂ、電圧低下を確認するためのスイッチ（後述する電圧低下確認スイッチ８）がＯＮされたらセットされるスイッチフラグ１１ｃを備える。また、警報抑制時間帯１１ｄを格納している。
【００１７】
時計部１２は、時刻を計る計時装置であり、現在時刻を保持している。なお、時計部１２としては標準電波を受信する電波時計を用いることもでき、このようにすることで正確な時刻を計ることができる。
【００１８】
設定部１３は、電池１の電圧低下が検出されたときの警報出力を抑制する時間帯を設定・保持する。設定部１３は、警報器１００の筐体に設けられた設定スイッチ（図示せず）に接続されており、この設定スイッチへの入力に応じて警報抑制時間帯を設定する。警報抑制時間帯は、開始時刻（例えば、２３：００）と終了時刻（例えば、０６：００）を指定する、あるいは、開始時刻（例えば、２３：００）と終了までの時間（例えば、７時間）を指定する、などの方法によって設定することができる。
また、警報抑制時間帯を設けないという設定も可能である。この場合は、開始時刻と終了時刻が同じになるよう設定部１３に設定することができる。
また、設定スイッチとしては、例えば、「時」「分」をそれぞれ設定可能なＤＩＰスイッチを、火災警報器１００の筐体のユーザーが操作可能な位置に設けることができる。
【００１９】
音声データメモリ１４は、音響回路３０から出力する音声データを格納するメモリであり、ＲＯＭで構成される。音声データメモリ１４には、火災警報器１００が火災を検出した際に出力する火災音声及び、電池１の電圧低下が検出された際に出力する電圧低下音声の音声データが格納されている。
【００２０】
（電池）
例えばリチウム電池である電池１は、定電圧回路４を介してマイコン１０等に常時電力を供給する電源である。電池１は、定電圧回路４を介することにより、マイコン１０等に安定した電力を供給することができる。
【００２１】
（火災検出部）
火災検出部５は、サーミスタ６及び抵抗７からなる熱式の火災検出部である。サーミスタ６及び抵抗７は直列に接続され、これらの両端には定電圧回路４を介して電池１から定電圧が印加されている。また、サーミスタ６の先端部は、火災警報器１００の筐体の表面近傍に設けられている。これにより、火災時の熱をサーミスタ６に伝達しやすくしている。
【００２２】
マイコン１０には、サーミスタ６と抵抗７とによって抵抗比分割した電圧が入力されている。サーミスタ６は温度により抵抗値が変化するため、火災時にサーミスタ６が暖められると、サーミスタ６と抵抗７との間の電圧値が変化する。マイコン１０は、このサーミスタ６と抵抗７との間の電圧値が例えば火災レベル以上になると、火災が発生したと判断し、マイコン１０が備えた記憶部１１の火災フラグ１１ａをセットする。
【００２３】
なお、サーミスタ６には、ａ）温度上昇により抵抗値が上昇するタイプ、ｂ）温度上昇により抵抗値が下降するタイプの２タイプがあるが、ここでは、ｂ）タイプのものが使用されている。このｂ）タイプのサーミスタ６の検出電圧値が火災検出用閾値（例えば２Ｖ）以上となれば、火災と判断されるようになっている。
【００２４】
（電圧低下検出手段）
火災警報器１００は、電池１の電圧低下監視を行う。具体的には、マイコン１０がスイッチ３をＯＮすると、電源監視回路２が駆動され、電源監視回路２が電池１の電圧値を検出する。電源監視回路２は、検出した電圧値をマイコン１０に出力し、マイコン１０は、検出された電圧値が所定の判別レベル以下であれば電池１の電圧が低下しているものとして、記憶部１１の電圧低下フラグ１１ｂをセットする。なお、本発明の電圧低下検出手段は電源監視回路２、スイッチ３、及びマイコン１０に相当する。
【００２５】
（表示灯）
図２は、表示灯回路２０の回路構成を示す図である。
表示灯回路２０は、発光ダイオードからなる表示灯２１を有し、表示灯２１に供給する電流値をコントロールすることで、表示灯２１の照度を制御するようにしている。
以下、具体的に説明する。
表示灯２１には抵抗値の異なる抵抗２２ａ（抵抗値大）、２２ｂ（抵抗値小）が並列に接続されている。また、これらの抵抗２２ａ、２２ｂを選択するための切替スイッチ２３が設けられ、切替スイッチ２３の他端にはトランジスタ２４が接続されている。マイコン１０が切替スイッチ２３に切替信号を出力すると、切替スイッチ２３はその切替信号により抵抗２２ａ、２２ｂのいずれかを選択する。トランジスタ２４は、表示灯制御線２５を介してマイコン１０と接続されており、マイコン１０からＨＩＧＨレベル信号が入力されることによりオンして抵抗２２ａあるいは抵抗２２ｂを介して表示灯２１に電流を供給する。抵抗２２ａは抵抗２２ｂよりも抵抗値が大きいので、表示灯２１に供給する電流は抵抗２２ｂよりも小さい。
【００２６】
このように構成された表示灯回路２０は、マイコン１０から出力された切替信号により抵抗２２ａ、２２ｂのいずれかが選択された状態で、マイコン１０からトランジスタ２４にＨＩＧＨレベル信号が入力されると、表示灯２１に電流が供給されて発光する。抵抗２２ａが選択されている場合は、抵抗２２ｂが選択されている場合よりも表示灯２１に供給される電流が小さいので、表示灯２１の照度が低い。
【００２７】
また、マイコン１０は、トランジスタ２４へのＬＯＷレベル信号／ＨＩＧＨレベル信号を周期で切り替えることで、表示灯２１に供給される電流を制御する。例えば、１０秒周期や１００秒周期などで表示灯制御線２５に出力する信号を切り替えると、同じ周期で表示灯２１を点滅させることができる。
【００２８】
なお、本発明における「視認性を低下させ」るとは、本実施の形態では、表示灯２１の照度を低下させるとともに、表示灯２１の点滅周期を長くすることをいうものとする。ただし、視認性を低下させる方法はこれに限るものではなく、例えば表示灯の照度、点滅の有無及び周期、点灯色などの条件を任意に組み合わせることができる。また、１つの条件を変化させるものであってもよい。
【００２９】
（音響部）
図３は、本発明の音響部である音響回路３０の回路構成を示す図である。
音響回路３０は、マイコン１０からの音声データを入力して増幅する増幅器３３と、増幅された音声を出力するスピーカ３４を有している。そして、増幅器３３とマイコン１０はデータ出力線３６で接続されており、データ出力線３６を介して音声データメモリ１４の音声データが出力される。
【００３０】
また、この音響回路３０は、増幅器３３に供給する電流値をコントロールすることで、スピーカ３４による警報鳴動の音圧レベルを制御するようにしている。
図３を参照して具体的に説明する。
増幅器３３の定電圧回路４側は、抵抗値の異なる抵抗３１ｄ（抵抗値大）、抵抗３２ｄ（抵抗値小）が並列に接続されている。また、抵抗３１ｄ、３２ｄは、それぞれ、トランジスタ３１ａ、３２ａの一端が直列に接続され、各トランジスタ３１ａ、３２ａの他端は定電圧回路４に接続されている。また、トランジスタ３１ａは、抵抗３１ｂ、３１ｃを介して音声出力制御線３５ａでマイコン１０と接続され、トランジスタ３２ａは、抵抗３２ｂ、３２ｃを介して音声出力制御線３５ｂでマイコン１０と接続されている。トランジスタ３１ａ、３１ｂは、マイコン１０からＬＯＷレベル信号が入力されることによりオンするものであり、警報鳴動を行わない間はＨＩＧＨレベル信号が入力されてオフ状態となっている。
【００３１】
このように構成された音響回路３０は、マイコン１０から音声出力制御線３５ａにＬＯＷレベル信号が入力されると、抵抗３１ｄを介して増幅器３３に電流Ｉが供給され、データ出力線３６により出力された音声データをスピーカ３４から出力する。また、マイコン１０から音声出力制御線３５ｂにＬＯＷレベル信号が入力されると、抵抗３２ｄを介して増幅器３３に電流Ｉが供給され、データ出力線３６により出力された音声データをスピーカ３４から出力する。抵抗３２ｄの抵抗値は抵抗３１ｄの抵抗値よりも小さいので、抵抗３２ｄを介して電流Ｉを供給した場合の方がスピーカ３４から出力される音圧レベルが高い。このように、抵抗値の異なる抵抗３１ｄ、３２ｄのいずれかを介して増幅器３３に電流を供給することにより、スピーカ３４の音響鳴動の音圧レベルを制御する。
なお、本実施の形態では、抵抗３１ｄをオンさせて音声出力した場合には約７４ｄＢ、抵抗３２ｄをオンさせて音声出力した場合には約８０ｄＢの音声を出力できるものとする。
【００３２】
（スイッチ）
図１において、電圧低下確認スイッチ８は、電圧低下検出手段により電池１の電圧低下が検出された場合の警報（以下、電圧低下警報と称する）を出力させるための操作スイッチであり、火災警報器１００の筐体のユーザーが操作可能な位置に設けられている。電圧低下確認スイッチ８としては、例えば押しボタン式のスイッチを用いることができる。
【００３３】
このように構成された火災警報器１００は、監視領域である住居等の天井面等に設置され、火災監視等を行う。
【００３４】
次に、火災警報器１００の動作を説明する。
図４は、火災警報器１００のメイン動作を示すフローチャート、図５〜図８は、図４に示す処理を示すフローチャートである。
【００３５】
まず、図４を参照して火災警報器１００のメイン動作を説明する。
なお、初期状態において、警報抑制時間帯１１ｄは、何も設定がなされていない状態（警報抑制時間帯がない状態）であるものとする。
電池１が装填されて電源が投入されると（Ｓ１）、マイコン１０は記憶部１１内のすべてのフラグをクリアする（Ｓ２）。ここまでの処理が、電源投入時に行う初期処理であり、以降は、ステップＳ３〜ステップＳ７の一連の処理を繰り返し行うこととなる。
【００３６】
続けて、設定部１３に設定された警報抑制時間帯を読み取り、記憶部１１の警報抑制時間帯１１ｄに記憶する（Ｓ３）。そして、火災監視（Ｓ４）、電池電圧低下監視（Ｓ５）、スイッチ入力判定（Ｓ６）、監視結果出力（Ｓ７）の処理を順次行う。
【００３７】
図５は、図４のステップＳ４に示す火災監視処理の動作を示すフローチャートである。
マイコン１０は、サーミスタ６と抵抗７との間の電圧値に基づき、火災が発生したか否かを判断する（Ｓ４１）。火災が発生していると判断した場合、マイコン１０が備えた記憶部１１の火災フラグ１１ａをセットし（Ｓ４２）、処理を終了する。火災が発生していないと判断した場合、火災フラグ１１ａをクリアし（Ｓ４３）、処理を終了する。
【００３８】
このように、火災監視処理においては、火災の有無を判断して、火災が発生していると判断した場合には火災フラグ１１ａをセットする。
【００３９】
図６は、図４のステップＳ５に示す電池電圧低下監視処理の動作を示すフローチャートである。
マイコン１０は、スイッチ３をＯＮして電源監視回路２を駆動させ、電源監視回路２が検出した電池１の電圧値を取得し、所定の判別レベル以下であるか否か判断する（Ｓ５１）。電池１の電圧値が判別レベル以下であると判断した場合には、記憶部１１の電圧低下フラグ１１ｂをセットし（Ｓ５２）、処理を終了する。電池１の電圧値が判別レベル以下ではないと判断した場合には、電圧低下フラグ１１ｂをクリアして（Ｓ５３）、処理を終了する。
【００４０】
なお、ステップＳ５１の判別レベルは、火災警報器１００による火災監視を所定時間行うのに必要な電圧値に基づいて、適宜設定する。
【００４１】
このように、電池電圧低下監視処理においては、電池１の電圧低下の有無を判断して、電圧低下が生じていると判断した場合には電圧低下フラグ１１ｂをセットする。
【００４２】
図７は、図４のステップＳ６に示すスイッチ入力判定処理の動作を示すフローチャートである。
マイコン１０は、電圧低下確認スイッチ８のスイッチ入力があるか否かを判断し（Ｓ６１）、スイッチ入力がなければスイッチフラグ１１ｃをクリアして（Ｓ６５）、処理を終了する。
電圧低下確認スイッチ８のスイッチ入力がある場合には（Ｓ６１）、電圧低下フラグ１１ｂがセットされているか否かを判断し（Ｓ６２）、セットされていなければスイッチフラグ１１ｃをクリアして（Ｓ６５）、処理を終了する。
電圧低下フラグ１１ｂがセットされている場合には（Ｓ６２）、現在の時刻が警報抑制時間帯内であるか否かを判断し（Ｓ６３）、警報抑制時間帯外であれば、スイッチフラグ１１ｃをクリアして（Ｓ６５）、処理を終了する。
また、現在の時刻が警報抑制時間帯内であれば（Ｓ６３）、スイッチフラグ１１ｃをセットして（Ｓ６４）、処理を終了する。
【００４３】
このように、スイッチ入力判定処理においては、電圧低下確認スイッチ８へのスイッチ入力があり、かつ、現在時刻が警報抑制時間帯内であれば、スイッチフラグ１１ｃをセットする。
【００４４】
図８は、図４のステップＳ７に示す監視結果出力処理の動作を示すフローチャートである。
マイコン１０は、火災フラグ１１ａがセットされているか否かを判断し（Ｓ７１）、セットされている場合には火災が発生していることを示す火災音声を出力する（Ｓ７２）。このとき、マイコン１０は、音声データメモリ１４に格納された火災音声のデータをデータ出力線３６から出力し、音声出力制御線３５ｂをＯＮする。このようにすることで、スピーカ３４から火災発生を知らせる音声が通常音量（８０ｄＢ）で出力される。
【００４５】
火災フラグ１１ａがセットされていない場合には（Ｓ７１）、電圧低下フラグ１１ｂがセットされているか否かを判断し（Ｓ７３）、セットされていなければ、そのまま処理を終了する。この場合、スピーカ３４からは何の音声も出力されない。
【００４６】
電圧低下フラグ１１ｂがセットされている場合は（Ｓ７３）、現在時刻が警報抑制時間帯内か否かを判断する（Ｓ７４）。警報抑制時間帯内でなければ、電池１の電圧が低下していることを示す電圧低下音声を出力する（Ｓ７５）。このとき、マイコン１０は、音声データメモリ１４に格納された電圧低下音声のデータをデータ出力線３６から出力し、音声出力制御線３５ｂをＯＮする。このようにすることで、スピーカ３４から電圧低下を知らせる音声が通常音量（８０ｄＢ）で出力される。そして、切替スイッチ２３を抵抗２２ｂに接続して、高照度かつ１０秒周期で表示灯２１を点滅させて（Ｓ７６）、処理を終了する。
ここでは、電池１の電圧低下が検出されていて、警報抑制時間帯外であるので、通常音量での音声出力を行うとともに表示灯２１を高照度で点滅させて、ユーザーにより明確に電池電圧の低下を知らせることができるようにしている。
【００４７】
また、現在時刻が警報抑制時間帯内である場合には（Ｓ７４）、スイッチフラグ１１ｃがセットされているか否かを判断し（Ｓ７７）、セットされていなければ、切替スイッチ２３を抵抗２２ａに接続して、低照度、かつ１００秒周期で表示灯２１を点滅させて（Ｓ７８）、処理を終了する。
ここでは、電圧低下が検出されていて、かつ、警報抑制時間帯内であり、さらに、ユーザーによる電圧低下確認スイッチ８の操作がないので、音声出力は行わず、視認性の低い状態での表示灯２１による警報のみを行っている。
【００４８】
また、警報抑制時間帯内であって（Ｓ７４）、スイッチフラグ１１ｃがセットされている場合には（Ｓ７７）、電池１の電圧が低下していることを示す電圧低下音声を出力する（Ｓ７９）。このとき、マイコン１０は、音声データメモリ１４に格納された電圧低下音声のデータをデータ出力線３６から出力し、音声出力制御線３５ａをＯＮする。このようにすることで、スピーカ３４から電圧低下を知らせる音声が小音量（７４ｄＢ）で出力される。そして、切替スイッチ２３を抵抗２２ａに接続して、低照度かつ１００秒周期で表示灯２１を点滅させて（Ｓ８０）、処理を終了する。
ここでは、電圧低下が検出されていて、かつ、警報抑制時間帯内であり、さらに、電圧低下確認スイッチ８への入力というユーザーからの警報出力の指示があったので、視認性の低い状態での表示灯２１による警報に加えて小音量での音声出力も行っている。
なお、本実施の形態では、スイッチフラグ１１ｃがセットされている場合において（Ｓ７７）、小音量の電圧低下音声出力（Ｓ７９）および視認性を低下させた表示灯２１による表示出力（Ｓ８０）は、これらステップを１回通過したときに、音声出力を数回行える所定期間（例えば、１０秒間）の間、行われるようになっている。ここで、ステップＳ８０において、表示灯２１は１００秒周期で点滅する仕様なので、電圧低下確認スイッチ８を１回オンしただけでは、表示灯２１は１回点滅するのみであるが、電圧低下確認スイッチ８を長押しすれば、１００秒周期で点滅することは可能となっている。
【００４９】
このように、監視結果出力処理においては、火災フラグ１１ａ、電圧低下フラグ１１ｂ、及びスイッチフラグ１１ｃのセット状態に応じて、必要な警報を行う。
【００５０】
上記説明したように、火災警報器１００は、図４に示したステップＳ３〜ステップＳ７の処理を繰り返すことにより、火災監視と電池１の電圧低下監視を行い、火災が検出された場合には火災音声による警報を、電池１の電圧低下が検出された場合には電圧低下音声による警報を行う。また、電圧低下の警報を行う際には、警報抑制時間帯内であるか否か、及び、電圧低下確認スイッチ８への入力の有無に応じて、音声出力の有無及び音圧レベルと、表示灯の照度及び点滅周期を変えて警報を行う。
【００５１】
以上のように本実施の形態に係る火災警報器１００によれば、警報抑制時間帯を設定可能にし、警報抑制時間帯内に電池１の電圧低下が検出された場合には音響回路３０による音声警報を行わないようにした。また、視認性を低下させた状態で表示灯による警報を行うようにした。このようにすることで、例えば夜間から早朝にかけての時間帯を警報抑制時間帯として設定すれば、夜間から早朝にかけての間に電池１の電圧低下を検出した場合、電圧低下の警報を行いつつも、警報によるユーザーへの煩わしさや迷惑を低減できる。
なお、電池１の電圧が低下していると判断するための判別レベルは、電圧低下警報の後も所定時間は火災検出が可能となるような値であるので、警報抑制時間帯の後に電圧低下を警報した場合でも、火災検出には影響がない。
【００５２】
また、警報抑制時間帯内であっても、ユーザーにより電圧低下確認スイッチ８が操作された場合には小音量での音声警報と視認性を低下させた表示灯による警報を行うようにした。このため、ユーザーが火災警報器１００の電圧低下状態を知りたい場合には、電圧低下確認スイッチ８を操作することにより迅速に知ることができる。このときは、警報抑制時間帯外よりも音圧を低下させて音声出力を行うので、例えば隣室などにいる他のユーザーに迷惑をかけることがない。
【００５３】
また、警報抑制時間帯をユーザーが任意に設定可能な設定部１３を設けたので、ユーザーの生活スタイルや火災警報器１００の設置環境に合わせて、警報抑制時間帯を任意に設定することができる。
【００５４】
なお、警報抑制時間帯外に電池１の電圧低下を検出した場合には、通常音量で電圧低下警報の音声出力を行うとともに、視認性の高い状態で表示灯２１を点滅させるので、ユーザーに迅速に電圧低下を知らせることができる。
【００５５】
また、本実施の形態では、警報抑制時間帯内で、かつ、電圧低下確認スイッチ８の操作がなされていない場合には、警報音の鳴動を行わないようにしたが、通常よりも低い音圧レベルで警報音を鳴動させるようにしてもよい。そして、このときは通常の視認性での表示灯２１による警報表示でもよいし、警報表示を行わなくてもよい。このようにしても、ユーザーへの煩わしさを低減させつつ、電池１の電圧低下をユーザーに知らせることができる。
【００５６】
また、本実施の形態では、電圧低下確認スイッチ８を設け、警報抑制時間帯内に電池１の電圧低下が検出された場合には、電圧低下確認スイッチ８への入力の有無に応じて音声出力の有無を制御するようにした。しかし、電圧低下確認スイッチを設けず、警報抑制時間帯内であれば常に音声出力を行わない、あるいは小音量で音声出力を行うこととしてもよい。このようにすることで、火災警報器の部品点数を削減して簡易な構成とすることができる。
また、本実施の形態では、警報抑制時間帯内に電池１の電圧低下を検出した場合には、音声警報はせずに視認性を低下させた表示灯による警報のみを行うようにしたが、表示灯による警報も行わないようにしてもよい。そして、この状態で、電圧低下確認スイッチ８の操作がなされると、小音量での音声警報、および視認性を低下させた表示灯による警報のいずれか、または両方を行うようにしてもよい。このように構成すると、例えば夜間から早朝にかけての警報抑制時間帯には電池電圧低下の警報は行わないが、電圧低下確認スイッチ８が操作されることにより、電圧低下したことをユーザーに迅速に知らせることができる。また、通常時よりも小音量および視認性を低下させた警報のいずれか、または両方を行うので、ユーザーへの煩わしさを低減させつつ、電池１の電圧低下をユーザーに知らせることができる。また、例えば隣室などにいる他のユーザーに迷惑をかけることがない。
【００５７】
また、本実施の形態では、電池の電圧低下を検出したときの警報動作について説明したが、火災警報など緊急度の高い警報を除き、例えば火災警報器１００の使用期限満了を報知する警報などについても同様の警報動作を行うことができる。
【００５８】
なお、上記説明では、異常検出部として火災検出部を例に説明したが、ガス漏れなどその他の監視領域の異常を検出するものであってもよい。また、火災検出部として、サーミスタ６による熱検出を例に説明したが、煙検出部などその他の火災検出部を用いてもよい。
【符号の説明】
【００５９】
１  電池、２  電源監視回路、３  スイッチ、４  定電圧回路、５  火災検出部、６  サーミスタ、７  抵抗、８  電圧低下確認スイッチ、９  抵抗、１０  マイコン、１１  記憶部、１１ａ  火災フラグ、１１ｂ  電圧低下フラグ、１１ｃ  スイッチフラグ、１１ｄ  警報抑制時間帯、１２  時計部、１３  設定部、１４  音声データメモリ、２０  表示灯回路、２１  表示灯、２２ａ  抵抗、２２ｂ  抵抗、２３  切替スイッチ、２４  トランジスタ、２５  表示灯制御線、３０  音響回路、３１ａ  トランジスタ、３１ｂ  抵抗、３１ｄ  抵抗、３２ａ  トランジスタ、３２ｂ  抵抗、３２ｄ  抵抗、３３  増幅器、３４  スピーカ、３５ａ  音声出力制御線、３５ｂ  音声出力制御線、３６  データ出力線、１００  火災警報器。
【図１】
2010225064.tif 000003
【図２】
2010225064.tif 000004
【図３】
2010225064.tif 000005
【図４】
2010225064.tif 000006
【図５】
2010225064.tif 000007
【図６】
2010225064.tif 000008
【図７】
2010225064.tif 000009
【図８】
2010225064.tif 000010